(57)【要約】【課題】人体への安全性と高い殺菌効果との両立が可能な氷を提供すること。【解決手段】氷１は、ウルトラファインバブル２を含む水３を凍結させたものである。また、ウルトラファインバブル２の原料は、窒素、酸素、空気の少なくとも１つである。また、ウルトラファインバブル２の密度は、１億個／ｍｌ〜５億個／ｍｌである。また、ウルトラファインバブル２以外の気泡の体積含有率が１％以下である。また、氷１は、薄片状またはシャーベット状である。【選択図】図１
2020153587.tif 000002
【特許請求の範囲】
【請求項１】
ウルトラファインバブルを含むことを特徴とする氷。
【請求項２】
前記ウルトラファインバブルを含む水を凍結させた請求項１に記載の氷。
【請求項３】
前記水は、塩水である請求項２に記載の氷。
【請求項４】
前記ウルトラファインバブルの原料は、窒素、酸素、空気の少なくとも１つである請求項１から３のいずれか一項に記載の氷。
【請求項５】
前記ウルトラファインバブルの密度は、１億個／ｍｌ〜５億個／ｍｌである請求項１から４のいずれか一項に記載の氷。
【請求項６】
前記ウルトラファインバブル以外の気泡の体積含有率が１％以下である請求項１から５のいずれか一項に記載の氷。
【請求項７】
薄片状である請求項１から６のいずれか一項に記載の氷。
【請求項８】
シャーベット状である請求項１から６のいずれか一項に記載の氷。
【発明の詳細な説明】
【技術分野】
【０００１】
本発明は、氷に関する。
【背景技術】
【０００２】
例えば、特許文献１には、次亜塩素酸を含む溶液で調製された殺菌作用を有する氷が記載されている。
【先行技術文献】
【特許文献】
【０００３】
【特許文献１】特開２０１０−２３３５６０号公報
【発明の概要】
【発明が解決しようとする課題】
【０００４】
特許文献１の氷では、高い殺菌効果を発揮するためには次亜塩素酸の濃度を高くする必要がある。しかしながら、次亜塩素酸の濃度を高くするほど人体への影響が大きくなってしまう。つまり、特許文献１の氷では、人体への安全性と高い殺菌効果との両立が困難である。
【０００５】
本発明の目的は、人体への安全性と高い殺菌効果との両立が可能な氷を提供することにある。
【課題を解決するための手段】
【０００６】
このような目的は、下記の本発明により達成される。
【０００７】
（１）  ウルトラファインバブルを含むことを特徴とする氷。
【０００８】
（２）  前記ウルトラファインバブルを含む水を凍結させた上記（１）に記載の氷。
【０００９】
（３）  前記水は、塩水である上記（２）に記載の氷。
【００１０】
（４）  前記ウルトラファインバブルの原料は、窒素、酸素、空気の少なくとも１つである上記（１）から（３）のいずれかに記載の氷。
【００１１】
（５）  前記ウルトラファインバブルの密度は、１億個／ｍｌ〜５億個／ｍｌである上記（１）から（４）のいずれかに記載の氷。
【００１２】
（６）  前記ウルトラファインバブル以外の気泡の体積含有率が１％以下である上記（１）から（５）のいずれかに記載の氷。
【００１３】
（７）  薄片状である上記（１）から（６）のいずれかに記載の氷。
【００１４】
（８）  シャーベット状である上記（１）から（６）のいずれかに記載の氷。
【発明の効果】
【００１５】
本発明によれば、殺菌効果を有し、人体に無害なウルトラファインバブルを含んでいるため、人体への安全性と高い殺菌効果との両立が可能な氷を提供することができる。
【図面の簡単な説明】
【００１６】
【図１】好適な実施形態の氷を示す斜視図である。
【図２】図１に示す氷の変形例を示す斜視図である。
【図３】図１に示す氷の変形例を示す斜視図である。
【発明を実施するための形態】
【００１７】
以下、本発明の氷の好適な実施形態について説明する。
【００１８】
図１に示す氷１は、超微細気泡として知られるウルトラファインバブル２を含有した水３を凍らせて形成された氷である。このような氷１の用途そしては、特に限定されないが、例えば、あじ、さば、ぶり、マグロ等の魚類、あわび、さざえ、ハマグリ等の貝類、カニ、エビ等の甲殻類等の魚介類（被保冷物）を冷却保存するのに好適に用いることができる。ウルトラファインバブル２は、マイナスの電荷を有し、被保冷物が有する菌細胞に選択して吸着し、被保冷物から菌細胞を脱離洗浄する効果を有する。そのため、このような氷１を用いて被保冷物を冷却保存することにより、被保冷物の鮮度を保ったままより長期間の保存が可能となる。
【００１９】
ウルトラファインバブル２を含む氷１は、従来から一般的に使用されている次亜塩素酸を含む水を凍らせて形成された次亜塩素酸氷と比べて、安全性が高く、低コストで、さらには、殺菌効果が長期的に持続するといった利点を有する。次亜塩素酸を使用すると高い殺菌効果を発揮することができるが、人体への影響を考慮して、被保冷物を食する前（調理する前）に十分に水で洗浄し、次亜塩素酸の濃度を水道水と同等（例えば、残留塩素濃度が０．１ｍｇ／Ｌ以下）まで下げる必要がある。そのため、人体への安全性を確保することが面倒であるし難しい。逆に、氷中の次亜塩素酸の濃度を低くすると、十分な殺菌効果を発揮することができない。これに対して、ウルトラファインバブル２は、人体に無害であるため、安全性を容易に確保することができる。また、上述のように、次亜塩素酸氷を用いると被保冷物を食する前に洗浄、濃度確認の作業を行う必要があるが、ウルトラファインバブル２を含む氷１によれば、そのような必要がなく、流通全体として見たときに低コスト化を図ることができる。さらには、ウルトラファインバブル２を含む氷１によれば、氷１からウルトラファインバブル２が徐々に溶け出すため、安定した高い殺菌効果が長期的に持続する。
【００２０】
なお、氷１としては、図１に示すようなブロック状であってもよいが、例えば、図２に示すようなブロック状の氷１を薄く削ってできる薄片状（フレーク状）や、図３にしめすようなブロック状の氷１を細かく削ってできるシャーベット状（雪状）であることが好ましい。これにより、ブロック状のものと比べて氷１の角がなくなり、被保冷物を傷付け難い氷１となる。また、薄片状やシャーベット状とすると、ブロック状のものと比べて、比表面積が大きくなり、被保冷物を素早く冷却することができる。そのため、被保冷物の鮮度を保ちつつ、長時間にわたって被保冷物を保冷することができる。
【００２１】
水３としては、水道水、純水、ミネラルウォーター等、どのようなものを用いてもよいが、特に、塩分を含んでいることが好ましい。つまり、水３は、食塩水、海水等の塩水であることが好ましい。これにより、特に、前述したような魚介類を保冷するのに適した氷となる。なお、水３の塩分濃度としては、特に限定されないが、例えば、１．０ｗｔ％〜５．０ｗｔ％程度とすることが好ましい。これにより、海水と同程度の塩分濃度の氷１となり、魚介類の保冷に特に適した氷１となる。
【００２２】
ウルトラファインバブル２は、直径が１μｍ以下の超微細気泡のことを言う。前述したように、ウルトラファインバブル２は、マイナスの電荷を有し、被保冷物が有する菌細胞に選択して吸着し、被保冷物から菌細胞を脱離洗浄する効果を有する。そのため、このような氷１を用いて被保冷物を冷却保存することにより、被保冷物の鮮度を保ったままより長期間の保存が可能となる。なお、図１ないし図３では、便宜上、ウルトラファインバブル２を図示しているが、実際にはウルトラファインバブル２は、目視できないほど小さく、水３が白濁したように見える。
【００２３】
ウルトラファインバブル２の原料ガスとしては、特に限定されず、例えば、酸素（Ｏ２）、オゾン（Ｏ３）、窒素（Ｎ２）、水素（Ｈ２）、二酸化炭素（ＣＯ２）、一酸化窒素（ＮＯ）、アンモニア（ＮＨ３）、空気等が挙げられる。これら材料によって、それぞれ異なる効能を発揮することができる。これらの中でも、ウルトラファインバブル２の原料ガスとしては、酸素（Ｏ２）、窒素（Ｎ２）、空気の少なくとも１つであることが好ましい。ウルトラファインバブル２の原料ガスとして酸素（Ｏ２）を用いた場合には、特に、魚介類のメト化を抑制して変色を抑えることができる。また、ウルトラファインバブル２の原料ガスとして窒素（Ｎ２）を用いた場合には、特に、鮮度をより長く保つことができる。また、ウルトラファインバブル２の原料ガスとして空気を用いた場合には、特に、被保冷物の食味を改善することができる。
【００２４】
なお、ウルトラファインバブル２の製造方法としては、特に限定されず、例えば、旋回液流式、エゼクター式、ベンチュリー式、加圧溶解式、超音波振動式、混合蒸気直接接触凝集式、超微細孔式等の公知の方法を用いることができる。
【００２５】
また、氷１に含まれるウルトラファインバブル２の密度としては、１億個／ｍｌ〜１０億個／ｍｌであることが好ましく、２億個／ｍｌ〜６億個／ｍｌであることがより好ましい。これにより、上述した殺菌、滅菌効果を十分に発揮することのできる氷１となる。また、ウルトラファインバブル２の密度が過度に高くなって氷１が脆くなり過ぎるのを抑制することもできる。
【００２６】
また、氷１は、ウルトラファインバブル２よりも大きい粒径の気泡をなるべく含有しないことが好ましい。具体的には、氷１中のウルトラファインバブル２よりも大きい粒径の気泡の体積含有率は、１％以下であることが好ましい。このような気泡は、直径が１μｍ超の気泡であり、例えば、マイクロバブル、サブミリバブル、ミリバブル等と呼ばれる気泡が挙げられる。このように、ウルトラファインバブル２よりも大きい粒径の気泡をなるべく含まないことで、これら粒径の大きな気泡にウルトラファインバブル２が吸着して凝集を起こしてしまうのを抑制することができる。そのため、ウルトラファインバブル２が均一に分散した氷１が得られ、上述した殺菌、滅菌効果をより顕著に発揮することができる。
【００２７】
以上、本発明の氷について図示の実施形態に基づいて説明したが、本発明はこれに限定されるものではない。例えば、製氷装置の各部の構成は、同様の機能を発揮する任意の構成のものに置換することができ、また、任意の構成を付加することもできる。また、前述した実施形態を適宜組み合わせてもよい。
【符号の説明】
【００２８】
１…氷
２…ウルトラファインバブル
３…水
【図１】
2020153587.tif 000003
【図２】
2020153587.tif 000004
【図３】
2020153587.tif 000005